(57)【要約】【課題】  年老いた者として土踏まずの足底筋膜が衰え、伴って冬期間の天候不順が日常の散歩や体操を困難にする。そのことによって筋力が衰え、直立歩行にふらつきが生じ、安定性を欠き、杖が必要となり、更に血行不良が足に冷えを生じさせる等の不都合が生じた。【解決手段】  本発明によれば平面視が略半円状形であり、前記半円状形の弦部分が弧方向に、緩い曲線の表皮部材１と弾性を有する形状保持部材２と底部材３とからなり、それぞれ前記部材は三層に重なる様に固着されている事を特徴とする。【選択図】図１
2016214815.tif 000002
【特許請求の範囲】
【請求項１】
平面視が略半円状形であり前記半円状形の弦部分が弧方向に緩い曲線である表皮部材、弾性を有する形状保持部材、底部材とからなり、それぞれ前記部材は三層に重なる様に固着されている事を特徴とする足の接地時における土踏まず部の空間補足具。
【発明の詳細な説明】
【技術分野】
【０００１】  本発明は足底の安定及び血行を促すものに関する。
【背景技術】
【０００２】  足裏を刺激して健康を促す履物が提案されている。
【発明の概要】
【発明が解決しようとする課題】
【０００３】  年老いた者として土踏まずの足底筋膜が衰え、伴って冬期間の天候不順が日常の散歩や体操を困難にする。そのことによって筋力が衰え、直立歩行にふらつきが生じ、安定性を欠き、杖が必要となり、更に血行不良が足に冷えを生じさせる等の不都合が生じた。【０００４】  本発明の目的は、歩行時の安定性を向上させ、又足底の血行を促進させることにある。
【発明を解決するための手段】
【０００５】  本発明によれば平面視が略半円状形であり、前記半円状形の弦部分が弧方向に、緩い曲線の表皮部材と弾性を有する形状保持部材と底部材とからなり、それぞれ前記部材は三層に重なる様に固着されている事を特徴とする足の接地時における土踏まず部の空間補足具が提案される。
【発明の効果】
【０００６】  本発明を使用することによる刺激によって足底筋膜が強化され、肉付が感じられ、歩行時に杖を使用しなくても、ふらつくことがなくなり安定性が向上した。
【０００７】  又、都度の歩行時における体温の上昇効果は好ましい、更に、本発明を使用することにより足の温め器効果が得られる。
【図面の簡単な説明】
【０００８】
【図１】  （Ａ）は本発明の実施例１に係る平面図、（Ｂ）は本発明の実施例１に係る左側面図、（Ｃ）は本発明の実施例１に係る正面図、（Ｄ）は図１（Ａ）の線Ｅ−Ｅに沿う断面図。
【図２】  本発明の実施例１の使用時の状態を示す。
【図３】  本発明の実施例１の使用時の状態を示す。
【図４】  （Ａ）は本発明の実施例２に係る平面図、（Ｂ）は本発明の実施例２に係る左側面図。
【図５】  本発明の実施例２の使用時の状態を示す一部断面の側面図。
【図６】  本発明の実施例３に係る平面図。
【発明を実施するための形態】
【実施例１】
【０００９】  図１、２、３は本発明の実施例１に係る足の接地時における土踏まず部の空間補足具であり、図１（Ａ）は本発明の実施例１の平面図、図１（Ｂ）は右側面図、図１（Ｃ）は正面図、図１（Ｄ）は図１（Ａ）の線Ｅ―Ｅに沿う断面図である。【００１０】  図２、３は本発明の実施例１の使用時における足との位置関係を示しており、４ａは足を地面に接地した時の足の接地面、４ｂは足の土踏まず部である。【００１１】  そして、本体Ｇの表皮部材１は肌ざわりが快適な材料、例えばフエルトシート等から構成される。形状保持部材２は、前記フエルトシートよりも弾性と硬さを有する例えばＥＶＡ樹脂等から構成される。底部材３は、可撓性を有する薄板状体であり、それぞれ前記の部材は三層に重なる様に接着剤によって固着されている。【００１２】  そしてこの本体Ｇを使用する方法を、図２、３に基づいて説明すると、まず図２（Ａ）に示す土踏まず部４ｂに、図２（Ｂ）に示す様に、本体Ｇが対応するように設置する。このとき、底部材３側が足４の外方向になるようにする。【００１３】  その状態を側面から示したのが図３であり、本体Ｇの表皮部材１が足４の土踏まず部に接触している。図１に示す本体Ｇは右足用であり、左足用は図１に示す本体Ｇを反転させた構造である、そして左右対称の２つの構造のものを用意し、それら２つの構造のもので１組とする。
【実施例２】
【００１４】  上記実施例１に示す本体Ｇを、より的確に土踏まず４ｂに位置させる為に、まず、土踏まずに対応した中部、土踏まずからつま先側に対応した前部、土踏まずから踵側に対応した後部を有し、可撓性を有する例えばＥＶＡ樹脂等から構成される薄板状の敷部材６の、土踏まずに対応する場所に本体Ｇを接着剤で固着する。【００１５】  更に、その上から、前記敷部材６と平面が同じ形状の、例えば薄いフエルトシート、又は皮シート、又は発泡ポリエステルシート等から構成されるシート状の保護部材５を、前記本体Ｇに被せる様に、接着剤を用いて敷部材６、本体Ｇ、保護部材５を固着する。【００１６】  また、図４に示す実施例Ｈは右足用であり、左足用は図４に示す実施例Ｈを反転させた構造である、そして左右対称の２つの構造のものを用意し、それら２つの構造のもので１組とする。【００１７】  この実施例Ｈの使用方法を図５に基づいて説明すると、靴７の内側底部に、保護部材５側が上部に位置する様に靴の中敷きとして設置する。そして歩行時にはこの靴７を通常通りに履く。【００１８】  そのことによって年老いた者としては、足底の安定が得られ、歩行時のふらつきがなくなり、さらには、杖を突かずに歩行する事が可能となる。
【実施例３】
【００１９】  上記実施例では、靴の中敷きとして使用するが、本実施例は、足の温め器具として使用するものである。【００２０】  図６に示すように、上記実施例Ｈのつま先側端部上面及び踵側端部上面に足の位置決め機能を有する立上がり部９ａ、９ｂ設けられている構造であり、覆い体８は、平面視縦長の略長方形である絨毯状のものである。【００２１】  更に、本実施例Ｈの左右の２つは、人の肩巾ほどの間隔で覆い体８の下半分側に設置している。前記立上がり部９ａ、９ｂは平面視で略Ｃ字状であり、４ｍｍ前後の高さを有し，足が当たっても痛みを感じない様に弾性体で構成されている。さらに前記覆い体８は長さ方向略中心部分に折り曲げ部８ａが設けられている。【００２２】  この実施例の使用方法としては、まず、立上がり部９ａ、９ｂに足が嵌る様に左右の足の位置を決め、その左右の足を固定させる様に足を乗せる。その時点で実施例１に示す物と同じ物である本体Ｇ部分の表面が左右の足の土踏まずに当たることとなる。【００２３】その本体Ｇが足底筋膜に刺激を与え、温かさが感じられる。その状態を保持したまま時間が経過すると、足の温度の上昇を覚える。【００２４】  更に、覆い体８中心部分の折り曲げ部８ａを折り目として、覆い体８を半分に折り曲げる、すると覆い体の上半分側が足の甲を覆うこととなる。そして、その状態を保持したまま時間が経過すると、足の温度の上昇が限界に達することとなる。このことからこの実施例は、足の温め器具の役目を果たすものである。【００２５】  なお、この発明の足の接地時における土踏まず部の空間補足具は、上記各実施例に限定されるものではなく、各部材の形状や素材など適宜変更可能である。
【符号の説明】
【００２６】１  表皮部材
２  形状保持部材
３  底部材
４、４ａ、４ｂ  足
５  保護部材
６  敷部材
７  靴
８、８ａ  覆い体
９ａ、９ｂ  立上がり部
【図１】
2016214815.tif 000003
【図２】
2016214815.tif 000004
【図３】
2016214815.tif 000005
【図４】
2016214815.tif 000006
【図５】
2016214815.tif 000007
【図６】
2016214815.tif 000008